(57)【要約】【課題】標的を明確に視認し得、射撃訓練時の模擬弾の跳ね返りを防止し得るとともに、その回収が容易であること。【解決手段】正面から見て矩形の支持枠５であって、上部に樋状載置台７を、下部に一対の支持脚５ｂ及びその途中の巻き取り手段８を、各々備えた支持枠５と、支持枠５の背後側の取付片５ａの内面にスポンジゴム６を介して取り付けた矩形のポリカーボネート板製の透明プレート１と、その前面に剥離自在に被覆する塩化ビニール製の傷防止用透明フィルム２と、支持枠５の上部の樋状載置台７にロール部４ａを載せ、ここから支持枠５の前面側に引き出し垂下させ、引き出し端を下部の巻き取り手段８の巻き取り軸８ａに巻き付けた戻り防止用透明フィルム４であって、塩化ビニール製の戻り防止用透明フィルム４とで構成する。【選択図】　図１
2004069145.tif 000002
【特許請求の範囲】
【請求項１】
標的の前面に位置して模擬弾の通過を防止するための透明プレートと、
該透明プレートの前面を模擬弾の衝突による傷の発生を防止するために交換可能に被覆する傷防止用透明フィルムと、
前記透明プレートの前面側にこれとの間に回収空間用の間隔をあけて交換可能に配する模擬弾の戻り防止用透明フィルムであって、これを突き抜けて前記透明プレートに衝突して跳ね返った模擬弾の再突き抜け戻りを防止し得る模擬弾の戻り防止用透明フィルムと、
前記透明プレート及び前記戻り防止用透明フィルムを支持する支持枠であって、該戻り防止用透明フィルムを突き抜けて該透明プレートに衝突して跳ね返った模擬弾の飛散を防止すべく周囲を閉じる支持枠と、
で構成した模擬弾飛散防止ボックス。
【請求項２】
前記透明プレートとして、厚さが５〜７ｍｍのポリカーボネート板を採用した請求項１の模擬弾飛散防止ボックス。
【請求項３】
前記傷防止用透明フィルムとして、厚さが０．２〜０．４ｍｍの塩化ビニールシートを採用した請求項１又は２の模擬弾飛散防止ボックス。
【請求項４】
前記戻り防止用透明フィルムとして、厚さが０．０２〜０．０４ｍｍの塩化ビニールシートを採用した請求項１、２又は３の模擬弾飛散防止ボックス。
【請求項５】
前記透明プレートを弾性材を介して前記支持枠に取り付けた請求項１、２、３又は４の模擬弾飛散防止ボックス。
【請求項６】
前記支持枠の上部又は下部の一方にロール状に巻いた前記戻り防止用透明フィルムのロール部を転動自在に載置する載置手段を配設し、該支持枠の上部又は下部の他方に、該載置手段のロール部から引き出し、前記透明プレートの前面側を前記回収空間用の間隔をあけて通過させた戻り防止用透明フィルムの引き出し側を巻き取る巻き取り手段を配設した請求項１、２、３、４又は５の模擬弾飛散防止ボックス。
【請求項７】
前記支持枠の下部に模擬弾回収穴を構成した請求項１、２、３、４、５又は６の模擬弾飛散防止ボックス。
【請求項８】
前記支持枠の下部にキャスターを備えた支持脚を構成した請求項１、２、３、４、５、６又は７の模擬弾飛散防止ボックス。
【発明の詳細な説明】
【０００１】
【発明の属する技術分野】
本発明は、射撃訓練用の標的の直前に設置して使用する模擬弾飛散防止ボックスであって、これを通じて標的に狙いを定めて模擬弾を発射させると、その模擬弾が前記標的の直前で跳ね返ることにより標的を保護するとともに、跳ね返った模擬弾の周囲への飛散を防止することにより、射撃の訓練をする者その他の者の怪我や事故の防止を図りうる模擬弾飛散防止ボックスに関するものである。
【０００２】
【従来の技術】
拳銃等による正確な射撃の能力を高めるためには、云うまでもなく、日頃からトレーニングが必要であり、拳銃等を職業的に使用する職種に於いては、そのようなトレーニングのために模擬弾による射撃訓練が取り入れられている。この模擬弾による訓練は、拳銃等に実弾の替わりにプラスチック製の模擬弾を装填し、標的から約５〜１０ｍ程離れた場所から所定の標的を狙って発射することにより行なわれている。
【０００３】
該模擬弾は以上のようにプラスチック製であり標的に命中したときの破壊力は大きくはない。従って模擬弾が命中しても標的が簡単に破壊されるようなことはないが、標的から跳ね返った模擬弾が当該の模擬弾を発射した射撃訓練者又はその近隣に位置する他の射撃訓練者に当たって怪我をする等の虞がある。また標的に命中しなかった場合でも背後の硬質の壁面等に当たれば同様に跳ね返り、同様の問題が生じる虞がある。
【０００４】
また以上のような射撃訓練で飛散した模擬弾は、これを何らかの手段で掃き集める等の必要があるが、標的等から跳ね返った模擬弾は四方八方に飛び散っているため、その後始末は容易ではなかった。
【０００５】
【発明が解決しようとする課題】
本発明は、以上のような模擬弾を利用した射撃訓練に於ける問題点を解決し、射撃の訓練の際に、これを使用しても、標的が明瞭に目視認識できるものであるとともに、発射した模擬弾が訓練者側に跳ね返って怪我をさせる等の虞が無く、かつ発射された模擬弾を容易に回収することができる模擬弾飛散防止ボックスを提供することを解決の課題とするものである。
【０００６】
【課題を解決するための手段】
本発明の１は、標的の前面に位置して模擬弾の通過を防止するための透明プレートと、
該透明プレートの前面を模擬弾の衝突による傷の発生を防止するために交換可能に被覆する傷防止用透明フィルムと、
前記透明プレートの前面側にこれとの間に回収空間用の間隔をあけて交換可能に配する模擬弾の戻り防止用透明フィルムであって、これを突き抜けて前記透明プレートに衝突して跳ね返った模擬弾の再突き抜け戻りを防止し得る模擬弾の戻り防止用透明フィルムと、
前記透明プレート及び前記戻り防止用透明フィルムを支持する支持枠であって、該戻り防止用透明フィルムを突き抜けて該透明プレートに衝突して跳ね返った模擬弾の飛散を防止すべく周囲を閉じる支持枠と、
で構成した模擬弾飛散防止ボックスである。
【０００７】
前記透明プレートは、この背後に位置させる標的を明確に目視することができる透明性と、模擬弾の通過を確実に阻止できる強度とを備えていれば材質は問わない。例えば、透明のガラス板やプラスチック板を採用することができる。
【０００８】
前記傷防止用透明フィルムは、既述のように、前記透明プレートの前面に被覆して模擬弾の衝突による傷の発生を防止するための部材であり、そのために有効な厚み乃至強さを持つものである必要がある。また、云うまでもなく、背後の標的が確実に目視できるものである必要があり、そのため、文字通り、透明の部材でなければならない。またある程度使用すると、これに衝突する模擬弾によって傷が発生し、透明性が低下することになるが、この場合に交換が可能である必要があり、その意味で、該傷防止用透明フィルムは交換可能に貼り付けることができるものである必要がある。具体的には透明なプラスチックフィルムを採用し、剥離自在な貼着剤で貼着しうるようにするのが適当である。
【０００９】
前記模擬弾の戻り防止用透明フィルムは、拳銃等の銃から発射された模擬弾がこれを突き抜けて通過し、前記透明プレートに衝突して跳ね返った場合に、今度は、このような模擬弾の再突き抜け戻りを防止することにより、周辺への飛散を防止する役割を果たし得るようになっているものである。また同時に、該模擬弾の戻り防止用透明フィルムと前記透明プレートとの間に模擬弾の回収用空間を形成し、銃から発射した模擬弾を全てこの空間内に保持することにより、容易にその回収ができるようにもするものである。
【００１０】
従って該戻り防止用透明フィルムは、前記回収空間を形成する間隔との関係も考慮した上で、銃から発射された模擬弾の進行方向の突き抜け通過は容易に許容する一方で、前記透明プレートから跳ね返った戻り方向の突抜通過は許容しない相応する強度を備え、かつその背後の標的の視認性に悪影響を与えない充分な透明性を有するフィルムで構成する必要がある。また該戻り防止用透明フィルムは前記位置に交換可能に配するものであるが、透明性が失ってきた場合に容易に交換できれば、その構成は自由である。
【００１１】
前記支持枠は、既述のように、前記透明プレート及び前記戻り防止用透明フィルムを支持するとともに、該戻り防止用透明フィルムを突き抜けて該透明プレートに衝突して跳ね返った模擬弾の飛散を防止すべく周囲を閉じる部材であるが、周囲は、完全に密封するほどである必要はなく、周囲に若干の隙間があいていても、前記回収空間から模擬弾が飛び出すことが殆どない程度のそれであれば、不都合ではなく、また前記「周囲を閉じる」の意味はその程度のものである。
【００１２】
従って本発明の１の模擬弾飛散防止ボックスによれば、これを標的の前に設置して模擬弾による射撃の練習を行った場合は、前記透明プレート、その前面を保護する傷防止用透明フィルム及び戻り防止用透明フィルムを通じて該標的を目視するものであるが、それらのいずれもが、文字通り、透明であり、背後の標的に狙いを定めるのに全く不都合はない。
【００１３】
更に該標的に狙いを定めて銃の引金を引き、模擬弾を発射させると、該模擬弾は、前記戻り防止用透明フィルムを突き抜けて進行し、前記透明プレートに衝突して跳ね返ることになるが、跳ね返った模擬弾は戻り防止用透明フィルムで再突き抜き戻りが防止され、該透明プレートと該戻り防止用透明フィルムとの間の回収空間に滞留することとなる。従って当該の模擬弾を発射した射撃の訓練者自身及びその近隣に位置する他の訓練者等が跳ね返った模擬弾に当たって怪我をするような問題の発生する余地がなく、安心して訓練を行うことができる。加えて発射した模擬弾が、前記のように、回収空間内に滞留することとなるため、その回収が極めて簡単である。
【００１４】
前記透明プレートは、前記のように、傷防止用透明フィルムによってその前面が保護されているので、模擬弾の衝突によっても傷を生じさせる虞がないのは云うまでもない。一方、いずれ、傷防止用透明フィルムが繰り返される模擬弾の衝突によって透明性を失われるが、その場合は、これは取り除き、新しい傷防止用透明フィルムを貼着することにより透明性を復活させることができる。
【００１５】
また同様に、前記戻り防止用透明フィルムも、繰り返される模擬弾の突き抜きによって透明性が失われるが、その場合は、新しいそれと交換することで透明性を復活させることができるのは云うまでもない。
【００１６】
なお本発明の１の模擬弾飛散防止ボックスによれば、以上のように、背後の標的はこれによって保護され、直接模擬弾がこれに衝突することがないので、その選択に殆ど制限はなく、プラスチックや木材等で構成される固定タイプの標的に代えて、ビデオの再生装置、例えば、ビデオ再生機能を持ったＴＶ受像機等を利用してその画面に再生される動く標的等を採用することも可能である。このような機器類も破損をおそれずに自由に採用可能である。
【００１７】
本発明の２は、本発明の１の模擬弾飛散防止ボックスに於いて、前記透明プレートとして、厚さが５〜７ｍｍのポリカーボネート板を採用したものである。
【００１８】
従って本発明の２の模擬弾飛散防止ボックスによれば、透明プレートとして必要な透明性と強度とを容易に確保することができるものであり、その背後の標的を支障なく目視することが可能であり、更に通常の訓練に用いる距離で銃から発射された模擬弾が衝突しても容易に割れたり、該模擬弾が貫通してしまうというような問題を生じる虞がない。これ以上に厚い物を使用する無駄を避けることもできる。
【００１９】
本発明の３は、本発明の１又は２の模擬弾飛散防止ボックスに於いて、前記傷防止用透明フィルムとして、厚さが０．２〜０．４ｍｍの塩化ビニールシートを採用したものである。
【００２０】
従って本発明の３の模擬弾飛散防止ボックスによれば、銃から発射され、前記戻り防止用透明フィルムを突き抜けた模擬弾は直接には透明プレートに衝突せず、その前面に配してある前記厚さの塩化ビニールシート製の傷防止用透明フィルムを介して衝突することとなるものであるため、該透明プレートの前面に傷が生じることを防止することができる。このような模擬弾の衝突によって傷防止用透明フィルム自体は若干の傷を生じるが背後の標的が見えにくくなるほどには容易に透明度は低下しない。勿論、繰り返す模擬弾の多数回の衝突によって生じる傷のためにいずれはその透明度が低下することになるが、このような場合は、云うまでもなく、その傷防止用透明フィルムを除去して新しいそれと交換することができる。なお透明プレートの傷防止用としては、後記通常の使用では、前記厚み以上である必要はない。
【００２１】
本発明の４は、本発明の１、２又は３の模擬弾飛散防止ボックスに於いて、前記戻り防止用透明フィルムとして、厚さが０．０２〜０．０４ｍｍの塩化ビニールシートを採用したものである。
【００２２】
従って本発明の４の模擬弾飛散防止ボックスによれば、銃から発射された模擬弾は、該戻り防止用透明フィルムを容易に突き抜いて進行し、前記透明プレートに前記傷防止用透明フィルムを介して衝突して跳ね返ることになるが、該戻り防止用透明フィルムを再度突き抜いて外部に飛散し、該模擬弾を発射した射撃訓練者その他に当たって怪我をさせるような虞はない。即ち、銃から発射された模擬弾は、前記透明プレートと前記戻り防止用透明フィルムの間の空間である回収空間内に滞留状態となり、その後の回収が容易なものとなる。後記通常の使用で、このような作用を果たすためには、前記範囲の厚みが適当である。
【００２３】
本発明の５は、本発明の１、２、３又は４の模擬弾飛散防止ボックスに於いて、前記透明プレートを弾性材を介して前記支持枠に取り付けたものである。
【００２４】
従って本発明の５の模擬弾飛散防止ボックスによれば、前記透明プレートに模擬弾が衝突した際に、該模擬弾の衝撃を吸収して該透明プレート及びその表面に配してある傷防止用透明フィルムの損傷を軽減することができる。また衝突時の衝撃音も小さくすることができる。更に衝突した模擬弾の跳ね返り威力及び跳ね返り距離を小さくすることができる。
【００２５】
本発明の６は、本発明の１、２、３、４又は５の模擬弾飛散防止ボックスに於いて、前記支持枠の上部又は下部の一方にロール状に巻いた前記戻り防止用透明フィルムのロール部を転動自在に載置する載置手段を配設し、該支持枠の上部又は下部の他方に、該載置手段のロール部から引き出し、前記透明プレートの前面側を前記回収空間用の間隔をあけて通過させた戻り防止用透明フィルムの引き出し側を巻き取る巻き取り手段を配設したものである。
【００２６】
従って本発明の６の模擬弾飛散防止ボックスによれば、前記戻り防止用透明フィルムに多数回の使用によって多数の模擬弾突き抜き穴があき、その透明性が失われてきた場合には、前記巻き取り手段で不透明になった部分を巻き取るとともに、新しい傷のない部分を引き出すことにより、該戻り防止用透明フィルムの交換を極めて簡単に行うことができることとなるものである。
【００２７】
本発明の７は、本発明の１、２、３、４、５又は６の模擬弾飛散防止ボックスに於いて、前記支持枠の下部に模擬弾回収穴を構成したものである。
【００２８】
従って本発明の７の模擬弾飛散防止ボックスによれば、前記戻り防止用透明フィルムで外部への飛散が防止され、回収空間中に滞留することとなった模擬弾を該支持枠の下部の模擬弾回収穴を通じてその下方に落下させ、下方に配した容器等に該模擬弾を容易に回収させることができる。
【００２９】
本発明の８は、本発明の１、２、３、４、５、６又は７の模擬弾飛散防止ボックスに於いて、前記支持枠の下部にキャスターを備えた支持脚を構成したものである。
【００３０】
従って本発明の８の模擬弾飛散防止ボックスによれば、標的の設置場所にこれを容易に移動させることができる。
【００３１】
【発明の実施の形態】
以下、発明の実施の形態を実施例に基づき、かつ添付図を参照しつつ詳細に説明する。
【００３２】
＜実施例＞
図１は、本発明の模擬弾飛散防止ボックスの一実施例を示す概略斜視図、図２は模擬弾飛散防止ボックスの中央部の一部の拡大縦断面図である。
【００３３】
この実施例の模擬弾飛散防止ボックスは、図１及び図２に示すように、基本的に、透明プレート１と、該透明プレート１の前面に剥離自在に被覆する傷防止用透明フィルム２と、前記透明プレート１の前面側にこれと回収空間３用の間隔をあけて配する戻り防止用透明フィルム４であって、ロール状に巻かれた戻り防止用フィルム４と、前記透明プレート１及び該戻り防止用透明フィルム４を支持する支持枠５とで構成したものである。
【００３４】
前記透明プレート１としては、この実施例では、厚さが６ｍｍの矩形のポリカーボネート板を採用した。先に述べたように、機能的には、透明な板材であれば材質に特に拘る必要はないが、コスト、耐久性、取扱い性等から前記厚さのポリカーボネート板を使用したものである。この実施例では、透明プレート１は、前記のように、前記支持枠５との関係で矩形に形成した。
【００３５】
該透明プレート１は、図２に示すように、前記支持枠５の背後側端部にスポンジゴム６を介してネジにより着脱自在に取り付ける。該支持枠５は、図１に示すように、前面から見て四辺形をなす枠状部材であるが、その後端から全周にわたって内側に張り出す取付片５ａを備えており、その内面に前記スポンジゴム６を介して前記透明プレート１を当接させ、先に説明したように、ネジで着脱自在に該取付片５ａに固定する。なお前記スポンジゴム６は、スポンジ状に発泡させて構成した合成ゴムである。
【００３６】
前記傷防止用透明フィルム２は、前記したように、前記透明プレート１の前面に剥離自在に被覆するものであり、この実施例では、厚さが０．３ｍｍの塩化ビニールシートを採用した。透明であり、かつ該透明プレート１に被覆したそれに後記模擬弾が衝突してもその背後の透明プレート１に傷を生じさせないようにこれを保護しうるものであれば、材質その他に特に拘る必要はないが、コスト、耐久性、取扱い性等から、上記のように、塩化ビニールシートを採用したものである。この傷防止用透明フィルム２は剥離自在な貼着剤を用いて前記透明プレート１に貼着する。上記貼着剤は、該傷防止用透明フィルム２及び該透明プレート１の周縁部にのみ施してその部位でのみ貼着固定する。なお上記貼着剤に代えて剥離自在な両面貼着テープを用いても良い。
【００３７】
前記戻り防止用透明フィルム４は、前記したように、前記透明プレート１との間に回収空間３用の間隔をあけてその前面側に配するものであり、この実施例では、厚さが０．０３ｍｍのロール状に巻かれた塩化ビニールシートを採用した。この厚さは、５〜１０ｍ離れた位置の銃から発射された模擬弾がこれを容易に突き抜き得ることを前提に設定したものである。
【００３８】
該戻り防止用透明フィルム４は、そのロール部４ａを、図１に示すように、前記支持枠５の上部上に配設した樋状載置台（載置手段）７に載せ、該ロール部４ａからその引き出し端部を引いて該支持枠５の前部側を垂下させ、該引き出し端部を該支持枠５の後記支持脚５ｂ、５ｂに配した巻き取り手段８の巻き取り軸８ａに巻き付け固定するものとする。該引き出し端の巻き取り軸８ａへの固定は剥離自在な貼着剤や両面テープ等を利用して行うことができる。こうして、図１及び図２に示すように、該戻り防止用透明フィルム４を支持枠５の前面側に位置させ、該支持枠５の背後側に取り付けた透明プレート１との間に回収空間３用の間隔をあけて位置させるものとする。この間隔はこの実施例では概ね３００ｍｍとした。該戻り防止用透明フィルム４は、支持枠５の前面側に於いて、できるだけ張った状態に保持すべきであるが、これは、その緩み分を前記巻き取り軸８ａに巻き取ることで得られる。
【００３９】
該戻り防止用透明フィルム４は、その前記透明プレート１と対面する部分に射撃訓練による多数の模擬弾の突き抜き通過によって多数の穴が生じ、これによって該部位が不透明になった場合には、前記巻き取り手段８の巻き取り軸８ａにその不透明部分を巻き取り、穴のあいていない新たな部分を前記ロール部４ａから支持枠５の前面側に引き出せば容易に透明性を回復できる。該当部位の戻り防止透明フィルム４を該当部位に於いて交換したことになるわけである。
【００４０】
前記支持枠５は、前記し、かつ図１及び図２に示すように、前面から見て四辺形の部材であり、各辺は約３００ｍｍの幅の板材で構成され、既述のように、全周にわたって、後端から内側に張り出す取付片５ａを備えたものである。該支持枠５の内側で、上記取付片５ａに前記スポンジゴム６を介して取り付けた透明プレート１と前記樋状載置台７上から垂下させた戻り防止用透明フィルム４との間の空間が前記回収空間３となるわけである。更に該支持枠５の上部には、既述のように、上辺に沿って配された樋状載置台７が構成してあり、下部にはその両側部から支持脚５ｂ、５ｂが垂下構成してある。
【００４１】
前記支持脚５ｂ、５ｂは、各々その下端に前後方向に延びる基部５ｃが構成してあり、各基部５ｃには、その下部前後にキャスター５ｄ、５ｄが配してあるものである。
【００４２】
前記支持脚５ｂ、５ｂには、前記し、かつ図１及び図２に示すように、巻き取り手段８が構成してある。該巻き取り手段８は、前記巻き取り軸８ａ及びその一端に構成したハンドル部８ｂで構成するものであり、そのうち、巻き取り軸８ａは、前記支持脚５ｂ、５ｂの各々の途中から前方に向かって突出形成したブラケット５ｅ、５ｅに回転自在に支持されるものである。前記ハンドル部８ｂは、この実施例では、巻き取り軸８ａの、向かって右側のブラケット５ｅから右側に突出する端部に構成したものである。
【００４３】
前記支持枠５は、更にその下部中央に模擬弾回収穴９が開口してあり、ここから回収パイプ１０を垂下させてある。この実施例では、上記模擬弾回収穴９はその内径を６０ｍｍに構成した。
なお以上の支持枠５、支持脚５ｂ、基部５ｃ、ブラケット５ｅ、樋状載置台７及び回収パイプ１０は各々スティールで構成し、黒色の焼付塗装を施したものである。
【００４４】
従ってこの実施例の模擬弾飛散防止ボックスによれば、これを標的１１ａの前に設置して模擬弾による射撃の訓練を適切かつ安全に行うことができる。標的１１ａの前への移動等は前記支持脚５ｂ、５ｂの下部の基部５ｃに配してあるキャスター５ｄ、５ｄを利用して簡単に行うことができる。なお前記模擬弾はプラスチックにより実弾と同様な形状に成形したものである。
【００４５】
なお標的１１ａの直前に設置する模擬弾飛散防止ボックスの透明プレート１、その前面を保護する傷防止用透明フィルム２及び戻り防止用透明フィルム４のいずれも、文字通り、透明であるため、その背後に位置する標的１１ａに狙いを定めるのに全く不都合はない。
【００４６】
該標的１１ａに狙いを定めて銃の引金を引き、該銃に装填してある模擬弾を発射させると、該模擬弾は、前記戻り防止用透明フィルム４を突き抜けて前記回収空間３に進入し、その後端の透明プレート１に衝突して跳ね返ることになる。このとき、該透明プレート１は、前記スポンジゴム６を介して支持枠５の取付片５ａに取り付けてあるため、該スポンジゴム６による緩衝作用が働き、該模擬弾による該透明プレート１に対する衝撃が弱められるとともに、跳ね返り威力及び跳ね返り距離等もあまり大きなものではなくなる。
【００４７】
こうして模擬弾は、その跳ね返り威力及び動作が大きくも激しいものでもなくなるが、更に回収空間３の幅が、既述のように、約３００ｍｍ程であり、この間に更に跳ね返り威力が減衰されるので、前面に位置する戻り防止用透明フィルム４に当たった際に再突き抜きが防止され、該模擬弾は、該透明プレート１と該戻り防止用透明フィルム４との間の回収空間３内に滞留することとなる。
【００４８】
従って当該の模擬弾を発射した射撃訓練者自身及びその近隣に位置することのある他の訓練者等が跳ね返った模擬弾に当たって怪我をするような問題の発生する余地はなく、安心して訓練を行うことができる。加えて発射した模擬弾は、以上のように、回収空間３内に滞留することとなるため、その回収が極めて簡単となる。
【００４９】
また、前記透明プレート１は、前記のように、傷防止用透明フィルム２によってその前面が保護されているので、模擬弾の衝突によっても傷を生じさせる虞がないのは云うまでもない。一方、いずれ傷防止用透明フィルム２は、繰り返される模擬弾の衝突によって透明性が失われることとなるが、その場合は、これを取り除き、新しい傷防止用透明フィルム２を貼着することにより透明性を復活させることができる。傷防止用透明フィルム２は、この実施例では、剥離自在な貼着剤を用いて、又は剥離自在な両面テープを用いて透明プレート１に貼着することとしたものであるため、容易にその交換を行うことができる。
【００５０】
また同様に、前記戻り防止用透明フィルム４も、繰り返される模擬弾の突き抜きによって、支持枠５の前面に位置する部位の透明性が失われるが、その場合は、先に述べたように、前記巻き取り手段８のハンドル部８ｂを操作して、前記巻き取り軸８ａに透明性の失われた部位を巻き付けるとともに、前記樋状載置台７上に載置してあるロール部４ａから新たな部分を引き出し、支持枠５の前面の部位に垂下状態とさせれば容易に透明性を回復することができる。
【００５１】
射撃訓練を継続すると、多数の模擬弾が前記回収空間３内に滞留することとなるが、跳ね返り具合等によって場合によっては支持枠５の下部中央に開口してある模擬弾回収穴９及び回収パイプ１０を通じて直ちに落下することもあり、この下に回収箱等の容器を配しておけば、それを回収できる。回収空間３内に滞留している模擬弾については、訓練終了後又は途中で、人手により刷毛等を利用して模擬弾回収穴９に集め、これ及び回収パイプ１０を通じてその下部に配してある回収箱等の容器に容易に回収することができる。
【００５２】
図３は、背後にビデオ再生用のＴＶ受像機１１ｂを配置した一実施例の模擬弾飛散防止ボックスを示す概略斜視図である。図３中、１２は該ＴＶ受像機１１ｂを載置した受台である。
【００５３】
この実施例の模擬弾飛散防止ボックスは、前記標的１１ａに代えて上記ＴＶ受像機１１ｂを採用し、これによって、訓練用の映像を再生し、その中の違法な行為を行う人物、例えば、乗用車から降りてきて射撃訓練者側に向かって銃を向ける人物を標的として射撃訓練を行うような用い方を採用することもできる。こうして現実的な種々の場面を想定した訓練が可能となる。そして、このような場合にも模擬弾で該ＴＶ受像機１１ｂに損傷を与えるような虞がないので、安心して射撃訓練を行うことができるものであり、これも含めてこの例の模擬弾飛散防止ボックスの使用による作用は先に説明した通りである。
【００５４】
【発明の効果】
本発明の１の模擬弾飛散防止ボックスによれば、これを標的の前に設置して模擬弾による射撃の訓練を行うと、前記透明プレート、その前面を保護する傷防止用透明フィルム及び戻り防止用透明フィルムのいずれも、文字通り、透明であるため、不都合なく背後の標的に狙いを定めることが可能であり、かつ模擬弾の射撃訓練者又はその周辺に模擬弾が跳ね返ってくることもないので、安全であり、更に模擬弾の回収も容易である利点が得られる。またその傷防止用透明フィルムや戻り防止用透明フィルム等のメンテナンスも容易に行うことができるものである。
【００５５】
本発明の２の模擬弾飛散防止ボックスによれば、前記透明プレートとして必要な透明度と強度とを容易に確保することができるものであり、それ故、その背後の標的を支障なく目視することが可能であり、かつ通常の訓練に用いる距離で銃から発射された模擬弾が衝突しても容易に割れたり、又は該模擬弾が貫通してしまうというような問題を生じる虞がない。
【００５６】
本発明の３の模擬弾飛散防止ボックスによれば、銃から発射され、前記戻り防止用透明フィルムを突き抜けた模擬弾は直接には透明プレートに衝突せず、その前面に配してある前記厚さの塩化ビニールシート製の傷防止用透明フィルムを介して衝突することとなるため、該透明プレートの前面に傷が生じることを防止することができる。一方このような模擬弾の衝突によって傷防止用透明フィルム自体には若干の傷が生じるのを避けられないが背後の標的が見えにくくなるほどには容易に透明度は低下しない。勿論、繰り返す模擬弾の多数回の衝突によって生じる傷のためにいずれはその透明度が低下することになるが、このような場合には、云うまでもなく、その傷防止用透明フィルムを除去して新しいそれと交換することができる。
【００５７】
本発明の４の模擬弾飛散防止ボックスによれば、銃から発射された模擬弾は戻り防止用透明フィルムを容易に突き抜けて進行し、前記透明プレートに前記傷防止用透明フィルムを介して衝突して跳ね返ることになるが、跳ね返った模擬弾には進行時のような威力はないので、該戻り防止用透明フィルムを再度突き抜いて外部に飛散し、該模擬弾を発射した射撃訓練者その他に当たって怪我をさせるような虞はない。即ち、銃から発射された模擬弾は、該戻り防止用透明フィルムにより規制されてそれより外部に飛散することができず、前記透明プレートと該戻り防止用透明フィルムの間の空間である回収空間内に滞留状態となり、射撃訓練者等に当たることがないと云う安全性を確保するとともに、その後の回収も容易なものとすることができる。
【００５８】
本発明の５の模擬弾飛散防止ボックスによれば、前記透明プレートに模擬弾が衝突した際に、該模擬弾の衝撃を吸収して、その跳ね返りの威力を小さくし、かつ該透明プレート及びその表面に配してある傷防止用透明フィルムの損傷を軽減することができる。また衝突時の衝撃音も小さくすることができる。
【００５９】
本発明の６の模擬弾飛散防止ボックスによれば、前記戻り防止用透明フィルムに多数回の使用によって多数の模擬弾突き抜き穴があき、その透明性が失われてきた場合には、前記巻き取り手段で不透明になった部分を巻き取るとともに、新しい傷のない部分を引き出すことにより、該戻り防止用透明フィルムの交換を極めて簡単に行うことができることとなるものである。
【００６０】
本発明の７の模擬弾飛散防止ボックスによれば、前記戻り防止用透明フィルムで外部への飛散が防止され回収空間中に滞留することとなった模擬弾を該支持枠の下部の模擬弾回収穴を通じてその下方に落下させ、下方に配した容器等に該模擬弾を容易に回収させることができる。
【００６１】
本発明の８の模擬弾飛散防止ボックスによれば、標的の設置場所にこれを容易に移動させることができる。
【図面の簡単な説明】
【図１】一実施例の模擬弾飛散防止ボックスの概略斜視図。
【図２】一実施例の模擬弾飛散防止ボックスに於ける中央部の一部の拡大縦断面図。
【図３】背後にビデオ再生用のＴＶ受像機を配置した一実施例の模擬弾飛散防止ボックスを示す概略斜視図。
【符号の説明】
１　　透明プレート
２　　傷防止用透明フィルム
３　　回収空間
４　　戻り防止用透明フィルム
４ａ　ロール部
５　　支持枠
５ａ　取付片
５ｂ　支持脚
５ｃ　基部
５ｄ　キャスター
５ｅ　ブラケット
６　　スポンジゴム
７　　樋状載置台（載置手段）
８　　巻き取り手段
８ａ　巻き取り軸
８ｂ　ハンドル部
９　　模擬弾回収穴
１０　回収パイプ
１１ａ　標的
１１ｂ　ＴＶ受像機
１２　受台
【図１】
2004069145.tif 000003
【図２】
2004069145.tif 000004
【図３】
2004069145.tif 000005